(57)【要約】【課題】  発売済みの座席について車内検札を省略することができ、また、直近の指定券発売実績に基づいて、空席座席について車内で車内補充券指定券を発売をすることができる操作性がよい車内補充券発行機を提供すること。【解決手段】  列車内の車掌が携帯する車内補充券発行機１により、停車駅区間毎の座席予約情報を座席予約サーバ６から受信し、座席毎の乗降区間を編集し座席情報テーブルに記憶する。そして、表示部に該当区間が発売済か空席かを示す指定席発売状況画面および停車駅より前途区間における座席予約情報を示す前途区間空席表示画面を表示させる。車掌は指定席発売状況画面を見ることで検札を省略することができ、また、空席に乗客が居る場合には、前途区間空席表示画面でどの停車駅まで空席であるかを確認し乗客に車内補充券を発行する。発行された座席情報は座席情報テーブルに追加記憶される。【選択図】          図１
2006330983.tif 000002
【特許請求の範囲】
【請求項１】
列車内の車掌が車内検札する際使用し、列車内で指定券等を発行する車内補充券発行機であって、
表示部と、操作信号を入力するための操作部と、指定券を印刷して発行する印刷発行手段と、
指定された停車駅から該停車駅以降の各停車駅区間毎の各座席毎の予約状況を示す座席予約情報を座席予約サーバから受信する通信手段と、
上記通信手段により受信された座席毎かつ各停車駅区間毎の座席の予約状況を示す座席予約情報を格納する座席情報テーブルと、
上記操作部からの操作信号に応じて、上記表示部、印刷発行手段を制御するとともに、上記座席情報テーブルを更新する制御手段とを備え、
上記制御手段は、停車中あるいは直近の停車駅を指定する操作信号が入力されたとき、上記通信手段を介して上記座席予約サーバから、指定された停車駅以降の停車駅区間の座席予約情報を取得し、取得した情報に基づき上記座席情報テーブルを更新し、
また、上記座席情報テーブルを参照して、上記表示部に、上記指定された停車駅から該停車駅以降の停車駅までの区間において、各座席が発売済みか空席かを示す指定席発売状況画面を表示させるとともに、該指定席発売状況画面中の空席座席について、上記指定された停車駅以降の停車駅から乗車する乗客の乗車駅を示す前途区間空席表示画面を表示させ、
上記前途区間空席表示画面の表示に基づき、発売する座席番号と乗降区間が設定されたとき、前記印刷発行手段により、指定券を印刷して発行するとともに、発売する座席番号と乗降区間を前記座席情報テーブルに格納する
ことを特徴とする車内補充券発行機。
【請求項２】
列車内の車掌が車内検札する際使用し、列車内で指定券等を発行する車内補充券発行機であって、
操作ボタンと、表示部と、指定券を印刷して発行する印刷発行手段と、
指定された停車駅から該停車駅以降の各停車駅区間毎の各座席毎の予約状況を示す座席予約情報を座席予約サーバから受信する通信手段と、
上記通信手段により受信された座席毎かつ停車駅区間毎の乗降区間を示す座席予約情報を格納する座席情報テーブルと、
上記表示部に表示された表示画面上の特定位置が操作されたとき、もしくは上記操作ボタンが操作されたとき、該操作位置に対応した操作信号を出力する操作信号入力手段と、  上記操作信号に応じて、上記表示部、印刷発行手段を制御するとともに、上記座席情報テーブルを更新する制御手段とを備え、
上記制御手段は、上記表示部に停車駅選択画面が表示されている状態で、停車中あるいは直近の停車駅を指定する操作信号が入力されたとき、上記通信手段を介して上記座席予約サーバから指定された停車駅以降の停車駅区間の座席予約情報を取得し、取得した情報に基づき上記座席情報テーブルを更新し、
上記停車駅選択画面で、停車駅が指定され、上記座席情報テーブルが更新された後、指定席発売状況画面の表示を指示する操作信号が入力されたとき、前記座席管理情報テーブルに格納された座席予約情報を参照して、座席毎の座席予約情報を得て、上記指定された停車駅から該停車駅以降の停車駅までの区間において、各座席が発売済みか空席かを示す指定席発売状況画面を表示させ、
上記指定席発売状況画面上で前途区間空席表示画面の表示を指示する操作信号が入力されたとき、前記座席管理情報テーブルに格納された座席予約情報を参照して、座席毎に前途停車区間における座席予約情報を得て、上記指定席発売状況表示中の空席座席について、上記指定された停車駅以降の停車駅から乗車する乗客の乗車駅を示す前途区間空席表示画面を上記表示部に表示させ、
前記前途空席状況画面上で、特定の座席位置が操作されたとき、乗降区間と発売する座席番号を設定するための座席情報入力画面に切換え、
上記画面上で、発売する座席番号と乗降区間が設定されたとき、前記印刷発行手段により、指定券を印刷して発行するとともに、発売する座席番号と乗降区間を前記座席情報テーブルに格納する
ことを特徴とする車内補充券発行機。
【発明の詳細な説明】
【技術分野】
【０００１】
本発明は、車内において座席を指定された特急券等の指定券を発売する機能をもつ車内補充券発行機に関する。
【背景技術】
【０００２】
車掌は列車内で切符を所持しないで乗車した無札客や自由席から指定席に変更する乗客に対し、車内補充券発行機により指定券（座席を指定した特急券を含む）を発行している。
車掌は指定座席の乗客に対し、その指定座席の指定券を所持した乗客が着席しているかチェックするため、列車が駅を発車する毎に車内検札を実施していた。その際、指定座席の指定券所持していた場合には、一度検札をした乗客に対し再度検札を行わないようにするため、その指定券の着駅を座席整理表に手書きにより記入し、記入した着駅を過ぎた場合は消し込みを行っていた。このため、指定席の管理は、車掌にとった大きな負担となっていた。
また、車内検札の際、指定席への変更要求が乗客よりあった場合、空いている座席に、その席の指定券を持っている乗客が来たら席を替わることを条件に、車内補充券発行機の操作部より券種、乗降区間、座席番号を入力して指定券を発行していた。
【０００３】
上記のような負担を軽減するため、近年自動改札機の改札情報を使用して座席情報を列車内の座席管理端末へ無線で送信するシステムも提案されている（特許文献１参照）。
しかしこのシステムは、車掌が列車内を巡回している場合は座席情報を受信できなかった。
また、座席予約システムセンタより取得した指定券発売実績に基づき、空いた座席を車内補充券発行機で受信し、空席情報を案内表示するようにした乗務員支援システムが提案されている（例えば特許文献２参照）。
【特許文献１】特開平１０−３４０３６０号公報
【特許文献１】特開２００４−２２７１２０号公報
【発明の開示】
【発明が解決しようとする課題】
【０００４】
上述したように、従来から手書きの座席整理表を使用して指定席の管理する方法が採られていたが、これは乗務員にとって大きな負担となっていた。
そこで、近年では、上述したように自動改札機の改札情報や、座席予約システムセンタより取得した指定券発売実績に基づき、指定席の管理を行い、車内補充券を発行するものも提案されている。
しかし、自動改札機の情報と、座席予約情報は、異なる別のサーバにより管理されており、これらの２種類の情報を使用する場合には、2 系統のシステムを構築する必要があり、システムが複雑になるといった問題があった。
【０００５】
また、従来のものは、現在走行中の乗車区間の予約情報は表示できるものの、直近の停車駅以降の区間（前途区間）で乗車する乗客に対して発行された指定券の予約状況を表示することはできなかった。
例えば、直近の停車駅が新神戸の場合、新大阪あるいは新神戸から新神戸以降の駅まで乗車する乗客の予約状況は表示されるが、例えば広島から乗車し博多で下車する乗客の予約状況は表示されなかった。
このため、空席があっても、この空席がどの停車駅まで空席であるのかが分からず、この空席に対して車内補充券を発行すると、前途停車駅でその席の指定券を持っている乗客が乗車してくる場合もあった。
本発明は上述した従来の問題点を解決するためになされたものであって、その目的は、発売済みの座席については車内検札を省略でき、また、座席予約サーバより取得した直近の指定券発売実績に基づいて、空席座席に対して乗降区間を設定して車内補充券を発行することが可能な、操作性のよい車内補充券発行機を提供することである。
【課題を解決するための手段】
【０００６】
本発明においては、上記課題を次のように解決する。
（１）車内補充券発行機に、表示部と、操作信号を入力するための操作部と、指定券を印刷して発行する印刷発行手段と、指定された停車駅から該停車駅以降の各停車駅区間（停車駅と次の停車駅の間の区間）毎の各座席毎の予約状況を示す座席予約情報を座席予約サーバから受信する通信手段と、上記通信手段により受信された座席毎かつ各停車駅区間毎の座席の予約状況を示す座席予約情報を格納する座席情報テーブルと、上記操作部からの操作信号に応じて、上記表示部、印刷発行手段を制御するとともに、上記座席情報テーブルを更新する制御手段とを設ける。
上記制御手段は、停車中あるいは直近の停車駅を指定する操作信号が入力されたとき、上記通信手段を介して上記座席予約サーバから、指定された停車駅以降の停車駅区間の座席予約情報を取得し、取得した情報に基づき上記座席情報テーブルを更新する。
そして、上記座席情報テーブルを参照して、上記表示部に、上記指定された停車駅から該停車駅以降の停車駅までの区間において、各座席が発売済みか空席かを示す指定席発売状況画面を表示させる。
さらに、該指定席発売状況画面中の空席座席について、上記指定された停車駅以降の停車駅から乗車する乗客の乗車駅を示す前途区間空席表示画面を表示させ、上記前途区間空席表示画面の表示に基づき、発売する座席番号と乗降区間が設定されたとき、前記印刷発行手段により、指定券を印刷して発行するとともに、発売する座席番号と乗降区間を前記座席情報テーブルに格納する。
（２）車内補充券発行機に、操作ボタンと、表示部と、指定券を印刷して発行する印刷発行手段と、指定された停車駅から該停車駅以降の各停車駅区間毎の各座席毎の予約状況を示す座席予約情報を座席予約サーバから受信する通信手段と、上記通信手段により受信された座席毎かつ停車駅区間毎の乗降区間を示す座席予約情報を格納する座席情報テーブルと、上記表示部に表示された表示画面上の特定位置が操作されたとき、もしくは上記操作ボタンが操作されたとき、該操作位置に対応した操作信号を出力する操作信号入力手段と、上記操作信号に応じて、上記表示部、印刷発行手段を制御するとともに、上記座席情報テーブルを更新する制御手段とを設ける。
上記制御手段は、上記表示部に停車駅選択画面が表示されている状態で、停車中あるいは直近の停車駅を指定する操作信号が入力されたとき、上記通信手段を介して上記座席予約サーバから指定された停車駅以降の停車駅区間の座席予約情報を取得し、取得した情報に基づき上記座席情報テーブルを更新する。
そして、上記停車駅選択画面で、停車駅が指定され、上記座席情報テーブルが更新された後、指定席発売状況画面の表示を指示する操作信号が入力されたとき、前記座席管理情報テーブルに格納された座席予約情報を参照して、座席毎の座席予約情報を得て、上記指定された停車駅から該停車駅以降の停車駅までの区間において、各座席が発売済みか空席かを示す指定席発売状況画面を表示させる。
さらに、上記指定席発売状況画面上で前途区間空席表示画面の表示を指示する操作信号が入力されたとき、前記座席管理情報テーブルに格納された座席予約情報を参照して、座席毎に前途停車区間における座席予約情報を得て、上記指定席発売状況表示中の空席座席について、上記指定された停車駅以降の停車駅から乗車する乗客の乗車駅を示す前途区間空席表示画面を上記表示部に表示させる。
そして、前記前途空席状況画面上で、特定の座席位置が操作されたとき、乗降区間と発売する座席番号を設定するための座席情報入力画面に切換え、上記画面上で、発売する座席番号と乗降区間が設定されたとき、前記印刷発行手段により、指定券を印刷して発行するとともに、発売する座席番号と乗降区間を前記座席情報テーブルに格納する。
【発明の効果】
【０００７】
以上説明したように本発明においては、以下の効果を得ることができる。
（１）車内検札等で列車内を巡回していても地上の座席予約サーバから車掌は遅滞なく指定座席の発売状況が確認することができ、乗客への案内等迅速に行うことができる。
また、発売済の座席に乗客がいる場合は車内検札をせずにすませることができ、指定券を所持せずに乗車した乗客に対しては指定券を発売する際、座席毎の空席区間を表示し、その空席区間情報に基づいて指定券を発売することができる。
このため、車掌の作業を軽減することができるとともに、業務のスピードアップが可能となり、乗客へのサービス向上を図ることができる。
（２）指定席を発売する時点で前途区間における指定席の発売状況が確認できるので、指定席の重複発売を減少させることができ、乗客へのサービス向上に寄与することができる。
（３）指定された停車駅区間における各座席が発売済みか空席かを示す指定席発売状況画面上で操作信号が入力すると、指定席発売状況表示中の空席座席について、直近の停車駅以降の停車駅から乗車する乗客の乗車駅を示す前途区間空席表示画面が表示され、この前途空席状況画面上で、特定の座席位置を操作することにより、乗降区間と発売する座席番号を設定するための座席情報入力画面に切り替え、指定券を印刷して発行することができるので、操作が極めて容易であり、乗務員は簡単な操作で車内補充券を発行することができる。
【発明を実施するための最良の形態】
【０００８】
以下、この発明の一実施の形態について図面を参照して説明する。
図１は、本発明の実施例の車内補充券発行ネットワークシステムの構成例を示す図である。
列車内において車掌が所持する車内補充券発行機１は無線基地局３と接続するための無線通信カード２が内蔵されている。車内補充券発行機１は、同一列車の中で複数の車掌が所持する場合もある。車内補充券発行機１と無線基地局３とは、走行中の列車内でも通信可能とするため、携帯電話の高速データ通信による高速移動体通信４により接続される。無線基地局３は座席予約サーバ６にネットワーク５を介して接続される。
座席予約サーバ６は、座席予約情報を格納したデータベースを有し、車内補充券発行機１より無線基地局３及びネットワーク５を介して乗務列車番号および空席情報取得区間の情報を受信すると、上記データベースを参照して、乗務列車番号および空席情報取得区間で発売済みか否かの座席予約情報を編集し、編集した座席予約情報をネットワーク５及び無線基地局３を介して、車内補充券発行機１に送信する。
【０００９】
図２は本発明の実施例の車内補充券発行機１のプリンタ部１１を開いた時の外観を示し、そのハードウェア構成を図３に示す。
車内補充券発行機１は、図２、図３に示すように全体の制御を司るＣＰＵ７、制御プログラムおよび座席情報テーブル等を記憶するメモリ８、乗車券の発行条件等を入力する操作ボタン部１０、乗車券の発行情報、指定席発売状況、空席状況等を表示する表示部９、指定券等を印刷するプリンタ部１１、無線基地局３と接続するための通信手段としての無線通信カード１２、これらの電源を供給する電池部１３とで構成されている。
表示部９は、例えばカラー液晶ディスプレイ等で構成され、指定券の発行情報および指定席発売状況および空席状況等を表示する。操作ボタン部１０は、例えば発行条件設定用のキーおよびテンキー１０a および発着駅を設定する駅名シートキー１０ｂのメンブレムキーと、表示部９上のタッチパネル１０ｃで構成され、入力操作を行う。無線通信カード２は車内補充券発行機１内に内蔵され、無線基地局３を介し座席予約サーバ６とデータの送受信が可能となっている。プリンタ部１１はロール状の券紙格納部と、ロール紙を搬送しながら指定券等をサーマルヘッドにより印刷する印刷部と、指定券等を切断するカッターで構成され、例えば図４に示す指定券等を発行する。電池部１３は、例えばリチウム−イオン電池等を使用し、列車内にて車掌が携帯して使用できるよう各部位に電源を供給する。
【００１０】
メモリ８には図５に示すような座席情報テーブル１８が格納される。この座席情報テーブルは号車、番、席で示される座席番号１９に対応して、始発駅２０ａから終着駅直前の停車駅２０ｆまでの各停車駅２０での発売済の乗降区間の格納領域２１が設けられ、予約サーバ６から受信した予約情報等が座席番号に対応させて格納される。
例えば、１番Ａ席の乗客の乗降区間は「新大阪−博多」であり、各停車駅ごとにこの乗降区画情報が座席予約情報として上記座席情報テーブル１８に格納される。また、例えば、１番Ｃ席は新山口から乗客が乗車するので、新大阪−広島間の各停車駅の乗降区間情報は空欄であり、空席であること示している。
【００１１】
図６は本実施例の車内補充券発行機１の機能構成を示す機能ブロック図である。
同図に示すように、本実施例の車内補充券発行機１は、前記したように操作ボタン部１０と、表示部９と、指定券を印刷して発行する印刷発行手段であるプリンタ部１１と、座席毎に、指定された停車駅以降の停車駅区間毎の座席予約情報を座席予約サーバ６から受信するための通信手段である無線通信カード１２を備える。また、無線通信カード１２により受信された座席毎かつ停車駅区間毎の乗降区間を示す座席予約情報を格納する座席情報テーブル１８と、上記表示部９のタッチパネル１０ｃ上の特定位置が操作されたとき、もしくは上記操作ボタン部１０の操作キー１０ｂ，１０ｃが操作されたとき、該操作位置に対応した操作信号を出力する操作信号入力手段７１と、上記操作入力手段７１を介して入力された操作信号に応じて、上記表示部９、プリンタ部１１を制御するとともに、上記座席情報テーブル１８を更新する制御手段７２とを備える。上記制御手段７２の機能は前記ＣＰＵ７がメモリ８に格納されたプログラムを実行することにより実現される。
【００１２】
上記制御手段７２の停車駅選択画面表示制御手段７２ｂは、図１０に示す停車駅選択画面を表示部９に表示させる。
停車駅選択画面２２には、図１０に示すように停車駅選択領域２３と読込キー２４等が表示される。
表示部９に上記停車駅選択画面が表示されている状態で、停車駅選択領域２３の停車駅の内、停車中もしくは直近の停車駅をスタイラスペンなどでタッチすると（以下、この操作を「タップする」という）、座席予約情報を取得する起点となる停車駅が設定される。なお、座席予約情報を取得する起点となる停車駅を以下では、取得起点停車駅という。
取得起点停車駅を設定し、ついで画面上の読込キー２４をタップすると、座席情報テーブル更新手段７２ａは、上記無線通信カード１２を介して上記座席予約サーバ６から取得起点停車駅以降の各停車駅区間の座席予約情報を取得し、取得した情報に基づき上記座席情報テーブル１８を更新する。また、座席情報テーブル１８内の上記取得起点停車駅で下車する乗客の座席予約情報を削除する。
【００１３】
また、車内検札をするため、操作ボタン部１０の操作ボタンにより号車番号を指定すると、指定席発売状況画面表示制御手段７２ｃは、前記座席管理情報テーブル１８に格納された座席予約情報を参照して、座席毎の座席予約情報を得て、図１１に示す指定席発売状況画面２５を表示部９に表示させる。
指定席発売状況画面２５には、同図に示すように指定された号車の各座席の予約状況、号車番号２６、空席キー３２、画面をスクロールすためのスクロールキー３０，３１などが表示される。座席の予約状況としては、座席が予約されている場合には、各座席の表示欄（同図の１Ａ，１Ｂ，…，７Ｄの各欄）に、直近の停車駅あるいはそれ以前の停車駅から乗車した乗客（もしくは乗車するはずの乗客）の下車駅が表示され、また、座席が予約されていない場合には、空欄が表示される。
上記指定席発売状況画面上で空席キー３２をタップすると、前途区間空席表示画面表示制御手段７２ｄは、座席管理情報テーブル１８に格納された座席予約情報を参照して、座席毎に前途停車区間における座席予約情報を得て、上記指定席発売状況表示中の空席座席について、直近の停車駅以降の停車駅から乗車する乗客の乗車駅を示す図１２に図示する前途区間空席表示画面３３を上記表示部９に表示させる。
前途区間空席表示画面３３には、同図に示すように、号車番号３４、スクロールキー３８，３９、座席表示欄が表示され、各座席の表示欄に、図１１で空席であった座席が識別可能に表示される（同図のハッチングで示した座席）。そして、終着駅まで空席の座席は空欄のまま、現在は空席だが前途区間で乗車してくる座席の場合は、その乗客の乗車駅が表示される。
【００１４】
乗客に指定券を発売するため、前記前途空席状況画面３３上で、空席の座席をタップすると、座席情報入力画面表示制御手段７２ｅは、乗降区間と発売する座席番号を設定するための図１３に示す座席情報入力画面４１に切換える。座席情報入力画面４１には、図１３に示すように、号車番号、座席番号３４、発駅、着駅を設定する入力欄４３，４４や、登録キー４５、キャンセルキー４６、車内補充券発行キー（車補キー）４７などが表示される。
この画面上で、前記操作ボタン部１０から発売する乗降区間を設定すると、前記プリンタ部１１により、指定券を印刷して発行するとともに、発売する座席番号と乗降区間を前記座席情報テーブル１８に格納する。
なお、車内で補充券を発行した場合、前記無線通信カード１２を介して、座席予約サーバ６へこの予約情報を送信し、座席予約サーバ６の座席予約情報を更新すれば、指定券発売済みの座席の指定券が車外で発売されることを防ぐことができ、指定席が重複して発売されるのを防止することができる。
【００１５】
図７〜図９は本実施例の車内補充券発行機における処理を示すフローチャートである。  図７（ａ）は始発駅における座席予約サーバ６からの座席情報取得処理を示す。
同図において、車内補充券発行機１により列車番号が設定されると（ステップＳ１）、図１０に示す停車駅選択画面を表示する（ステップＳ２）。この画面上で始発の停車駅を設定すると（ステップＳ３）、列車番号、設定された停車駅を座席予約サーバ６に送信する（ステップＳ４）。これに応じて、座席予約サーバ６では、該当する列車番号の座席予約情報を座席予約情報を格納したデータベースから検索し、該当列車番号の座席予約情報を編集して、送信元の車内補充券発行機に送信する。
車内補充券発行機１では、上記座席予約情報を受信し、この情報を座席情報テーブル１８に記憶させる（ステップＳ５）。
【００１６】
図７（ｂ）は途中停車駅における座席予約サーバ６からの座席情報取得処理を示す。
同図において、図１０に示す停車駅選択画面を表示している状態で（ステップＳ１）、取得起点停車駅（途中停車駅）を設定すると（ステップＳ２）、まず、座席情報テーブル１８から、この停車駅で下車する乗客の乗降区間データを削除する（ステップＳ３）。ついで、列車番号、設定された停車駅を座席予約サーバ６に送信する（ステップＳ４）。車内補充券発行機１では座席予約サーバ６から上記座席予約情報を受信し、この情報を座席情報テーブル１８に記憶させる（ステップＳ５）。
【００１７】
図８は、上記座席予約サーバ６から座席予約情報を取得する処理の具体的内容を示すフローチャートである。
前記したように車内補充券発行機１に取得起点停車駅を設定すると、メモリ８の取得乗降区間の乗車駅、降車駅を格納する領域に、取得起点停車駅を取得乗降区間の乗車駅としてセットし、また、乗車駅の次の停車駅を降車駅としてセットする（ステップＳ１，Ｓ２）。
ついで、上記乗車駅、降車駅を座席予約サーバ６に送信し、座席予約サーバ６から、この乗降区間の座席予約情報を受信する。そして、受信した乗降区間の座席予約情報を座席情報テーブル１８に記憶する（ステップＳ３）。
ついで、次の停車駅が終着駅であるかを判定し（ステップＳ４）、終着駅でなければステップＳ５からステップＳ２に戻り、次の停車駅を取得乗降区間の乗車駅に更新しながら（ステップＳ５）上記処理を繰り返し、次の停車駅が終着駅の場合、処理を終了する。これにより、前記図５に示した座席情報デーブルに、各座席毎の予約情報が格納される。
【００１８】
図９は、車内検札時における処理を示すフローチャートである。
まず検札する号車番号を設定する（ステップＳ１）。これにより、図１１に示す指定席発売状況画面が表示される（ステップＳ２）。
車掌は上記指定席発売状況画面を見て、空席のはずの座席に乗客が居るかを調べ、居なければ、その号車の検札を終了する（ステップＳ３）。
また、その座席に乗客が居る場合には、指定席発売状況画面上の空席キーをタップする（ステップＳ４）。
これにより、図１２に示した前途空席状況画面が表示される（ステップＳ５）。車掌は上記空席に座っている乗客の降車駅を確認し、その座席が上記乗客の降車駅まで空席であるかを確認する（ステップＳ６）。当該座席が上記乗客の降車駅まで空席であれば、前途空席状況画面上の当該座席をタップして、図１３に示した座席情報入力画面を表示させる（ステップＳ７，Ｓ８）。
【００１９】
そして、座席情報入力画面上で、当該乗客の乗降区間、大人、小児等を設定し、登録キーをタップする。この設定情報は、座席情報テーブル１８に記憶される（ステップＳ９，Ｓ１０，Ｓ１１）。
ついで、座席情報入力画面上の車補キーをタップし、発行券種を設定し、操作ボタン部１０の発行ボタンを押し下げる。これにより指定券が発行される（ステップＳ１２〜Ｓ１５）。
また、前記ステップＳ６で、当該座席が上記乗客の降車駅まで空席でない場合には、処理を終了するが、車掌は上記前途空席状況画面で上記乗客の降車駅まで空席の座席を探し、あればその座席に乗客を案内し上記のような操作をして指定券を発行する。
【００２０】
次にこのような構成において車内補充券発行機１と車内検札の作用を具体例により説明する。
車掌は乗務する列車番号を操作ボタン部１０を操作してメモリ８に記憶した後、列車内を巡回する。
車掌は停車駅到着時、列車乗務前に操作ボタン部１０により設定した列車番号に基づく運行ダイヤに従って、表示部９に図１０に示した停車駅選択画面２２を表示させ、該画面上で、停車駅選択領域２３の該当停車駅をスタイラスペンにてタッチし、操作ボタン部（タッチパネル）１０ｃを介して停車駅を入力し、データを取得する起点停車駅を設定する。
始発駅では座席予約サーバ６から取得した座席予約情報がメモリ８内の座席情報テーブル１８に記憶され、途中駅では、座席予約サーバ６から指定された停車駅以降の各停車駅区間の座席予約情報を取得し、座席情報テーブル１８に格納するとともに、座席情報テーブル１８内の取得起点停車駅で下車する座席予約情報が削除される。すなわち、データを取得する取得起点停車駅より前の停車駅から乗車し、取得起点停車駅で下車する座席予約情報が削除される。
【００２１】
車掌が列車番号を入力した後、上記のように停車駅を入力すると、車内補充券発行機１はメモリ８に記憶されている乗務する列車番号と取得起点停車駅を無線通信カード１２により無線基地局３を介し座席予約サーバ６に送信する。
座席予約サーバ６は各列車の指定座席の号車・番・席により構成される座席番号毎に、その発売済乗降区間の情報をＯＤ情報として集計しており、座席予約サーバ６は指定された停車駅と次の停車駅区間の乗降区間の座席予約情報を編集し、車内補充券発行ネットワークを介し車内補充券発行機１へ送信する。車内補充券発行機１は受信した座席予約情報を座席情報テーブル１８に記憶する。
続いて、同様に取得起点停車駅の次の停車駅の座席予約情報を取得し、車内補充券発行機１は受信した座席予約情報を座席情報テーブル１８に記憶する。これを終着駅の直前の停車駅まで繰返し、受信した座席予約情報を座席情報テーブル１８としてメモリ８に記憶する。
【００２２】
具体例において説明すると、図１０の停車駅例の列車において始発駅では、停車駅情報２２の停車駅選択２３で新大阪２３ａをタップし取得起点停車駅を設定後、読込キー２４をタップすると、新大阪〜新神戸間の座席情報を座席予約サーバ６より受信し、座席情報テーブル１８の停車駅新大阪２０ａの行に記憶する。
続いて新神戸〜岡山間の座席情報を座席予約サーバ６より受信し、座席情報テーブル１８の停車駅新神戸２０ｂの行に記憶する。続いて岡山〜広島間の座席情報を座席予約サーバ６より受信し、座席情報テーブル１８の停車駅岡山２０ｃに記憶する。続いて広島〜新山口間の座席情報を座席予約サーバ１８より受信し、座席情報テーブル１８の停車駅広島２０ｄの行に記憶する。続いて新山口〜小倉間の座席情報を座席予約サーバ６より受信し、座席情報テーブル１８の停車駅新山口２０ｅに記憶する。最後に、小倉〜終着駅・博多間の座席情報を座席予約サーバ６より受信し、座席情報テーブル１８の停車駅小倉２０ｆに記憶する。結果始発駅での最新の座席予約サーバ６の発売済の座席の状況が座席情報テーブル１８の各座席毎に各停車駅毎の乗降区間の格納領域２１にセットされる。
【００２３】
図１０の停車駅例の列車において新神戸に到着した時、停車駅情報２２の停車駅選択２３で新神戸２３b をタップし取得起点停車駅を設定後、読込キー２４をタップすると、座席情報テーブル１８より降車駅が新神戸の乗降区間データをクリアし、新神戸〜岡山間の座席予約情報を座席予約サーバ６より受信し、座席情報テーブル１８の停車駅新神戸２０b の行に記憶する。
続いて岡山〜広島間の座席予約情報を座席予約サーバ６より受信し、座席情報テーブル１８の停車駅岡山２０c に記憶する。続いて広島〜新山口間の座席予約情報を座席予約サーバ１８より受信し、座席情報テーブル１８の停車駅広島２０ｄの行に記憶する。続いて新山口〜小倉間の座席予約情報を座席予約サーバ６より受信し、座席情報テーブル１８の停車駅新山口２０ｅに記憶する。
最後に、小倉〜終着駅・博多間の座席予約情報を座席予約サーバ６より受信し、座席情報テーブル１８の停車駅小倉２０ｆに記憶する。この結果、新神戸到着時点での最新の座席予約サーバ６の発売済の座席の状況が座席情報テーブル１８の各座席毎に各停車駅毎の乗降区間の格納領域２１にセットされる。
【００２４】
次の停車駅（岡山）に到着した時は停車駅情報２２の停車駅選択２３で岡山２３ｃをタップし取得起点停車駅を設定後、読込キー２４をタップすると、座席情報テーブル１８より降車駅が岡山の乗降区間データをクリアし、岡山〜広島間の座席予約情報を座席予約サーバ６より受信し、座席情報テーブル１８の停車駅岡山２０ｃに記憶する。続いて広島〜新山口間の座席予約情報を座席予約サーバ１８より受信し、座席情報テーブル１８の停車駅広島２０ｄの行に記憶する。続いて新山口〜小倉間の座席予約情報を座席予約サーバ６より受信し、座席情報テーブル１８の停車駅新山口２０ｅに記憶する。最後に、小倉〜終着駅・博多間の座席予約情報を座席予約サーバ６より受信し、座席情報テーブル１８の停車駅小倉２０ｆに記憶する。
その結果、岡山到着時点での最新の座席予約サーバ６の発売済の座席の状況が座席情報テーブル１８の各座席毎に各停車駅毎の乗降区間の格納領域２１にセットされる。
以上のように各停車駅毎に同様の処理を行うことで、座席情報テーブル１８には最新の座席予約情報が記憶される。
【００２５】
座席予約サーバ６より取得起点停車駅から終着駅の直前の停車駅までの座席情報を取得後、例えば１０号車の車内検札を行う場合は、操作ボタン部１０により１０号車を設定すると、該当する号車の座席情報テーブル１８を参照して、車内補充券発行機１の表示部９に前記図１１に示した指定席発売状況表示画面２５が表示される。
この例による指定席発売状況表示画面２５は指定された号車単位に縦方向に座席番号の番２７、横方向に座席情報の席２８の表において各欄２９は発売済座席ついてはその座席の乗降区間の着駅を表示する。
スクロールキー３０および３１は縦方向に画面をスクロールすることが可能で、該当号車の全ての座席情報を表示できる。
停車駅が新神戸の場合は座席情報テーブル１８の停車駅＝新神戸２０ｂの行の乗降区間を参照する。指定席発売状況表示画面２５において、発売済座席について例えば欄２９1-D のように着駅（広島）を表示し、空席について欄２９1-C 等のように空白「  」で表示すれば、取得停車駅から次の停車駅まで指定席に乗車している乗客の座席情報の一覧となる。
【００２６】
上記により指定席車両の車内検札は停車駅に到着時、座席予約サーバ６より該当停車駅で該当列車の発売済の座席情報を取得し、表示部９に表示される指定席発売状況表示画面２５を確認しながら行うことが出来るようになる。このように車掌は指定席車両については指定された座席に乗客が着席しているかチェックするために車内検札を行うが、既に座席指定席予約サーバに予約済の乗客についてはその予約情報を使用して乗客の指定券をチェックする検札を行わないで済ませることができる。
【００２７】
欄２９1-C 等のような空席の座席に乗客がいた場合は、前途区間の指定券の発売状況を見るため、前途区間空席表示を指示するため指定席発売状況表示画面２５上のタッチパネル１０ｃの空席キー３２を押す。これにより、座席情報テーブル１８の各座席において取得起点停車駅で空席（乗降区間情報なし）で、取得起点停車駅の次の停車駅（岡山２０ｃ）から終着駅の直前の停車駅（小倉２０ｆ）までの各停車駅の乗降区間の格納領域２１をチェックし、最初の乗降区間がセットされている停車駅までが空席であると判定をして、車内補充券発行機１の表示部９の表示は図１２に示す前途区間空席表示画面３３に切り替えられる。
本例による前途区間空席表示画面３３は指定席発売状況表示画面２５と同じ構成の表形式とし、取得起点停車駅（新神戸）と次停車駅（岡山）間が空席の座席は例欄３７1-C のように背面＝緑色（図１２ではハッチング）とし、次駅以降に発売済区間がある場合はその発売済区間の乗車駅（新山口）を前途区間空席表示画面３３として表示する。
【００２８】
空席の座席例えば座席番号１０号車１番Ｃ席欄２９1-C に乗客がいた場合、その乗客の降車駅が例えば広島の時は、前途区間空席表示画面３３の座席番号１０号車１番Ｃ席欄３７1-C を確認し、新山口まで空席であることを確認し、指定券の発売を行う。その乗客が博多まで乗車を希望した場合は、座席番号１０号車１番Ｃ席欄３７1-C は新山口より指定券を所持する旅客が乗車するため、博多まで空席の別の座席、例えば１０号車２番Ｂ席欄３７2-B へ案内し、指定券を発売する。
【００２９】
指定券を所持しない乗客の乗降区間が空席であることを前途区間空席表示画面３３で確認できたら、該当する空席の座席をタップすることにより、車内補充券発行機１の表示部９の表示は図１３に示す座席情報入力画面４１に切り替わる。
座席情報入力画面４１には乗降区間設定するためプルダウンメニュー発駅４３およびプルダウンメニュー着駅４４および大人、小児等、その他の項目および設定内容を登録するための登録キー４５がタッチパネル１０ｃとして構成され、それら項目を設定後、登録キー４５を押すことにより、その座席情報は座席情報テーブル１８に記憶される。
したがって、設定後は、指定席発売状況画面２５には車内で確保した座席についても発売済座席として表示できる。例えば前途区間空席表示画面３３で座席番号１０号車１番Ｃ席の空席の無札の乗客より新神戸から広島までの指定券を要求された場合、座席番号１０号車１番Ｃ席欄３７1-C をタップすると、座席情報入力画面４１に切り替わり、プルダウンメニュー発駅４３で新神戸を設定し、プルダウンメニュー着駅４４で広島を設定し、登録キー４５を押すと、座席情報テーブル１８の乗降区間２１C −b および乗降区間２１C −C に新神戸→広島をセットする。登録後前画面キー４８を押し、指定席発売状況画面２５にすると、欄２９1-C は列車内で発売した乗降区間の着駅の広島を表示する。
【００３０】
座席情報入力画面４１で指定券を発行するためモードに移行するための入力キーである車補キー４７をタップすることにより、設定した内容、即ち座席番号および乗降区間を車内券発行の設定条件に引き継いで、指定された座席の指定券が発行される。
すなわち、操作ボタン部１０を操作して発行券種を設定し、発行ボタンを押すことによりＣＰＵ７が運賃等を算出し、表示部９に発行内容を表示するとともに、プリンタ部１１で直ちに指定券を印刷して発行することができる。
指定券の発駅はプルダウンメニュー発駅４３で設定した新神戸、着駅はプルダウンメニュー着駅４４で設定した広島、座席番号は前途区間空席表示画面３３でタップした座席欄の座席番号が印字される。
【００３１】
表示された空席状況表示を確認し、前途区間に発売済の区間がない座席に指定席券を所持しない乗客を案内すれば、前途駅から乗車する乗客と座席を重複発売することを防ぐことができる。また座席情報テーブル１８に座席情報を追加登録されるため表示部９に表示される指定席発売状況画面には着駅が表示され既に発売済みに変更される。
降車駅名が表示されており、座席について取得駅より乗車の乗客の指定席券の有効性は既に駅の指定席予約サーバにて確認されており、発売済座席表示画面の空白「  」の座席に乗客がいるときのみ指定券を確認すればよく、全ての乗客を検札する必要がないため、短時間で検札を終了できる。
従来は車掌が列車に乗務する前に指定席券の発売状況を確認する方法または空席情報を指定席予約サーバより受信するがあったが、車内検札をするまでかなりの時間を経過しているため、車掌が列車に乗務後に指定席券を発売したとき、車内での発売と座席が重複してしまうことが多数あり、また指定券発行の時に空席情報を通信回線を使用して取得してたのでは、操作も複雑になり、処理に時間を要したが、本実施例では、指定席を発売する時点で前途区間における発売状況が確認できるようになり、指定席座席の重複発売を減少させることができ、乗客へのサービス向上に寄与することができる。
【００３２】
以上説明したとおり上記発明の実施例によれば、車内補充券発行機を所持していれば、車内検札等で列車内を巡回していても地上の座席予約サーバから車掌は遅滞なく指定座席の発売状況が確認でき、乗客への案内等迅速に行うことができる。
すなわち、車内検札の省略または簡易化により車掌の作業の軽減、乗客へのサービス向上が図れる。
さらに、指定券を所持しない乗客に対し、空席情報を確認して空席への案内が可能となり、その座席の指定券を即座に車内補充券発行機で発行ができる等、業務のスピードアップが可能となり、乗客とのトラブル防止を図ることができる。
【図面の簡単な説明】
【００３３】
【図１】本発明の実施例の車内補充券発行ネットワークシステムの構成例を示す図である。
【図２】本発明の実施例の車内補充券発行機のプリンタ部を開いた時の外観を示す図である。
【図３】本発明の実施例の車内補充券発行機のハードウェア構成を示す図である。
【図４】発行される指定券の一例を示す図である。
【図５】座席情報テーブルに格納される座席予約情報の一例を示す図である。
【図６】本発明の実施例の車内補充券発行機の機能構成を示す機能ブロック図である。
【図７】本発明の実施例の車内補充券発行機における処理を示すフローチャート（１）である。
【図８】本発明の実施例の車内補充券発行機における処理を示すフローチャート（２）である。
【図９】本発明の実施例の車内補充券発行機における処理を示すフローチャート（３）である。
【図１０】本発明の実施例の停車駅選択画面の一例を示す図である。
【図１１】本発明の実施例の指定席発売状況表示画面の一例を示す図である。
【図１２】本発明の実施例の前途区間空席表示画面の一例を示す図である。
【図１３】本発明の実施例の座席情報入力画面の一例を示す図である。
【符号の説明】
【００３４】
１    車内補充券発行機
２    無線通信カード
３    無線基地局
４    高速移動体通信
５    ネットワーク
６    座席予約サーバ
７    ＣＰＵ
８    メモリ
９    表示部
１０  操作ボタン部
１１  プリンタ部
１２  無線通信カード
１３  電池部
１８  座席情報テーブル
２２  停車駅選択画面
２５  指定席発売状況表示画面
３３  前途区間空席表示画面
４１  座席情報入力画面
７１  操作信号入力手段
７２  制御手段
【図１】
2006330983.tif 000003
【図２】
2006330983.tif 000004
【図３】
2006330983.tif 000005
【図４】
2006330983.tif 000006
【図５】
2006330983.tif 000007
【図６】
2006330983.tif 000008
【図７】
2006330983.tif 000009
【図８】
2006330983.tif 000010
【図９】
2006330983.tif 000011
【図１０】
2006330983.tif 000012
【図１１】
2006330983.tif 000013
【図１２】
2006330983.tif 000014
【図１３】
2006330983.tif 000015